(57)【要約】【課題】  光源として青色ＬＤを使用しても十分な光量を確保しながらオートパワーコントロールを実施可能であり、しかも構造が比較的単純で、製造コストを低減可能な光ピックアップ装置、および該装置に使用される偏光分離素子を提供すること。【解決手段】  入射された光ビームの周縁光の一部を偏光分離膜に対する入射角に基づいて取り出す偏光分離素子、および該偏光分離素子を有する光ピックアップ装置。【選択図】図１
2005302102.tif 000002
【特許請求の範囲】
【請求項１】
有限系光ビームを入射させて、光ディスクへの照射光と光ディスクからの反射光とに分離する光ピックアップ用偏光分離素子であって、入射された光ビームの周縁光の一部を偏光分離膜に対する入射角に基づいて取り出し、光モニターに導くことを特徴とする偏光分離素子。
【請求項２】
偏光分離膜が高屈折率層と低屈折率層とを交互に積層してなり、層の合計数が30以上であることを特徴とする請求項１に記載の偏光分離素子。
【請求項３】
偏光分離膜が高屈折率層と低屈折率層とを交互に積層してなり、高屈折率層と低屈折率層との屈折率の差が0.4以上であることを特徴とする請求項１または２に記載の偏光分離素子。
【請求項４】
有限系光ビームを偏光分離素子に入射させて、光ディスクへの照射光と光ディスクからの反射光とに分離する光ピックアップ装置であって、
光ビームを射出する光源、
光ディスクによって反射された光ビームを受光する光検出器、
請求項１〜３のいずれかに記載の偏光分離素子、
偏光分離素子によって導かれた光の光量をモニターする光モニター、
光ビームの偏光方向を変える波長板、および
光ビームを集束する対物レンズ
を有してなることを特徴とする光ピックアップ装置。
【発明の詳細な説明】
【技術分野】
【０００１】
本発明は、有限系光ビームを光ディスクに照射し、反射された光ビームによって光ディスクが保持するデジタル信号の検出を行う光ピックアップ装置、および該装置に使用される偏光分離素子に関する。
【背景技術】
【０００２】
従来より、多くの光ピックアップ装置においては、偏光方向によって光を透過または反射させる機能を有する偏光分離素子（PBS）が使用されている。例えば、図13に示す光ピックアップ装置の光学系の概念図では、光源51から射出する光が偏光分離素子にｐ偏光で入射するように配置する。偏光分離素子52に入射したｐ偏光はほぼ100％透過し、波長板53を透過し対物レンズ54によって集束されて光ディスク55に到達する。反射によって得られた信号光は、再び対物レンズ54及び波長板53を経て偏光分離素子52に入射する。この信号光は、波長板を２回通過することによって、ｓ偏光になっているので今度は反射され、検出器56に達し、光ディスクが保持する信号が検出される。PBS52は一般に偏光分離膜57が２個の透明多面体（プリズム）で挟持されてなっている。
【０００３】
そのような従来の有限光学系において光源51から射出された光は発散角（広がり角）をもってPBS52に入射する。またPBS52に入射される光の透過率（反射率）は偏光分離膜57に対する入射角によって変動することが知られている。そのため、従来においては、光の有効利用の観点から、入射されたほとんど全ての光が透過するように、偏光分離膜を設計していた。例えば、入射角度が最も小さくなるか、または大きくなる、入射光スポットの周縁部の光であっても、反射しないように、偏光分離膜を設計していた。
【０００４】
一方、光ピックアップ装置においては、光源の出力を安定化させるために、光源から射出された光の強さ（光量）をモニターし、その情報に基づいて光源の出力を制御するオートパワーコントロールが一般的に行われている。従来のオートパワーコントロールにおいてモニター光は、以下に示す方法で取り出されている；
（１）光源51の裏側（後ろ側）から射出光の一部を取り出す方法；
（２）光路の途中においてハーフミラーなどを設置して射出光の一部を取り出す方法；
（３）PBSの一部に反射膜を別途、設けて射出光の一部を取り出す方法（特許文献１および２参照）；
（４）PBSにおける偏光分離膜の一部を故意に設けずに、当該部分を通った光を取り出す方法；
等が挙げられる。
【特許文献１】特開2001-344804号公報
【特許文献２】特開2002-100069号公報
【発明の開示】
【発明が解決しようとする課題】
【０００５】
しかしながら、上記（１）の方法では、光源として青色レーザーダイオード（以下、青色LDという）等の光量が比較的小さいものを使用した場合、光損失が無視できなくなるので、全体としての光量が十分でない。また上記（2)〜(4）の方法では、構造が複雑で、製造が煩雑になるので、製造コストが増大する。
【０００６】
本発明は、光源として青色LDを使用しても十分な光量を確保しながらオートパワーコントロールを実施可能であり、しかも構造が比較的単純で、製造コストを低減可能な光ピックアップ装置、および該装置に使用される偏光分離素子を提供することを目的とする。
【課題を解決するための手段】
【０００７】
本発明は、有限系光ビームを入射させて、光ディスクへの照射光と光ディスクからの反射光とに分離する光ピックアップ用偏光分離素子であって、入射された光ビームの周縁光の一部を偏光分離膜に対する入射角に基づいて取り出し、光モニターに導くことを特徴とする偏光分離素子に関する。
【０００８】
本発明はまた、有限系光ビームを偏光分離素子に入射させて、光ディスクへの照射光と光ディスクからの反射光とに分離する光ピックアップ装置であって、
光ビームを射出する光源、
光ディスクによって反射された光ビームを受光する光検出器、
上記偏光分離素子、
偏光分離素子によって導かれた光の光量をモニターする光モニター、
光ビームの偏光方向を変える波長板、および
光ビームを集束する対物レンズ
を有してなることを特徴とする光ピックアップ装置に関する。
【発明の効果】
【０００９】
本発明の光ピックアップ装置は、偏光分離素子に入射される光ビームスポットの周縁部における一部の光を反射または透過によって取り出してモニターするので、オートパワーコントロールに伴う光損失を最小限に抑えることができ、結果として十分な光量を確保できる。そのため、本発明は光源として青色LD等の光量が比較的小さいものを使用した場合に特に有効である。
また本発明の光ピックアップ装置は、入射された光ビームスポットの周縁部における一部の光を偏光分離膜に対する入射角に基づいて取り出してモニターするので、反射膜やミラー等の設置は必要とせず、また偏光分離膜の一部を設けないようにする作業等を行う必要もない。よって、構造が比較的単純で、製造時の煩雑さが解消され、結果として製造コストを低減できる。
【発明を実施するための最良の形態】
【００１０】
本発明の光ピックアップ装置は、有限系光ビームを偏光分離素子に入射させて、光ディスクへの照射光と光ディスクからの反射光とに分離しつつ、反射光によって光ディスクが保持するデジタル信号の検出を行うものであり、新たな構成部品を用いることなく、偏光分離素子に入射角度依存性を持たせることによって、該偏光分離素子からモニター光を取り出して光源のオートパワーコントロールを行うことを特徴とする。
【００１１】
本明細書中、入射角度依存性とは、偏光分離素子が有する偏光分離膜に対する入射角の大きさによって反射率や透過率が変化することを利用して、入射された光ビームの周縁光の一部、すなわち最大または最小の入射角近傍で入射した光に、他の光とは異なる挙動を採らしめる特性をいう。詳しくは、例えば、入射光がｐ偏光のときは、最大または最小の入射角近傍で入射したｐ偏光を反射させ、その他のｐ偏光を透過させ得る特性を意味する。また例えば、入射光がｓ偏光のときは、最大または最小の入射角近傍で入射したｓ偏光を透過させ、その他のｓ偏光を反射させ得る特性を意味する。
また入射された光ビームの周縁光とは、偏光分離素子に入射された光ビームが当該素子の偏光分離膜を照射して形成される略楕円形状のビームスポットのうち周縁領域の光を意味するものとする。本発明においてはそのような周縁光のうち、偏光分離膜に対する入射角が最大値または最小値近傍の光が取り出され、モニターされる。
【００１２】
（第1実施形態）
本発明の光ピックアップ装置の第１実施形態を図1を用いて説明する。図1（Ａ）は光ピックアップ装置の概略構成図を示している。図1（Ａ）の装置は、光ビームを射出する光源1、光ディスク5によって反射された光ビームを受光する光検出器6、光ビームを、光源1から光ディスク5に至る往路光学系と、光ディスク5から光検出器6に至る復路光学系とに分離する偏光分離素子2、該偏光分離素子によって取り出された光の光量をモニターする光モニター8、光ビームの偏光方向を変える波長板3、および光ビームを集束する対物レンズ4を有してなっている。所望により有限系ビームをコリメータ光に変換するコリメータレンズ9を有していてもよい。
【００１３】
図1（Ａ）において光源1から射出された有限系光ビームは偏光分離素子2にｐ偏光で入射してその中を透過する。偏光分離素子2を透過した光ビーム（ｐ偏光）は、所望により、コリメータレンズ9によってコリメータ光となり、その後、波長板3を通過し、対物レンズ4によって光ディスク5上に集束される。光ディスク5によって反射された信号光としての復路の光ビームは、再び対物レンズ4、波長板3およびコリメータレンズ9を経て、偏光分離素子2に入射される。偏光分離素子2に復路で入射される光ビームは波長板3を2回通過することによって既にｓ偏光に変換されているため、当該偏光分離素子2よって分離（反射）され、検出器6に入射される。光検出器6では入射光を電気信号に変換し、光ディスクが保持する信号を検出する。
【００１４】
対物レンズで集束する光スポット径は、光ディスク5に記録されたピットサイズに対応したものでなければならない。同じNAのレンズを使う場合、使用する波長が短い方が小さいスポットを形成できる。ここでは、光源１として波長405nmの青色レーザーダイオード（以下、青色LD）を用いている。
【００１５】
本実施形態においては、偏光分離素子2中、光源1から入射されたほとんどの光ビーム（ｐ偏光）が透過する一方で、偏光分離素子2に入射角度依存性を持たせているので、入射された光ビームの周縁光の一部が偏光分離膜に対する入射角に基づいて反射により取り出され、光モニター8に導かれるようになっている。すなわち、従来より、入射される光ビームの透過率（反射率）は偏光分離膜7に対する入射角によって変化することが知られており、入射された全ての光が透過するように偏光分離膜が調整されていたが、図1（Ａ）においては最小の入射角α近傍の光が反射され、モニター光として利用される。図1（Ａ）中、βは最大の入射角である。
【００１６】
そのように最小の入射角α近傍の光を反射させる偏光分離素子の入射角−反射率曲線の一例を図1（Ｂ）に示す。図1（Ｂ）は、入射角を最小のαから最大のβまで変化させると、ｓ偏光は一定して反射率ほぼ100％を維持するが、ｐ偏光は入射角に依存して反射率が変化することを示している。このようにｐ偏光はその光ビームスポットにおける周縁部の一部、すなわち最小入射角α近傍のみにおいて反射を示すので、当該反射光をモニター光として利用することにより、十分な光量を確保しながらオートパワーコントロールを有効に実施できる。ｐ偏光の反射率が０になるときの入射角ｘ１および入射角αのときの反射率ｙ１、それぞれの値は特に制限されるものではないが、光量の確保とオートパワーコントロールの有効実施の観点から、ｘ１は40〜43°、特に41〜42°であり、ｙ１は10〜50％、特に20〜30％であることが好ましい。
【００１７】
本実施形態における偏光分離膜7の薄膜構成は、上記図1（Ｂ）のような入射角−反射率曲線を示す限り、各層の構成材料、屈折率および厚みならびに層の合計数は特に制限されない。例えば、高屈折率層と低屈折率層とを交互に積層してなり、以下の特徴を有する多層薄膜が挙げられる；
（1-1）高屈折率層と低屈折率層との屈折率の差が0.4以上、特に0.5以上である；屈折率差が0.4より小さいと、入射角に対するｓ偏光の反射帯域とｐ偏光の透過帯域が近づくので、分離が不十分となり、好ましくない。
（1-2）層の合計数が30以上、特に40以上である；層数が30より少ないと十分な立下りもしくは立ち上がり特性が得られないので、光量損失が大きくなり、好ましくない。
（1-3）各層の厚さは適宜設定されてよいが、通常いずれも20〜300nm、好ましくは30〜200nmである。
【００１８】
（第2実施形態）
本発明の光ピックアップ装置の第２実施形態を図2を用いて説明する。第2の実施形態の装置は、最大の入射角近傍の光が反射され、モニター光として利用されること、およびそれに伴い、図2（Ａ）に示すように光源1、偏光分離素子2、光検出器6および光モニター8が配置されること以外、図1（Ａ）に示す装置と同様である。図2（Ａ）において、図1（Ａ）と同じ符号は、特記しない限り、同じ部材を示すものとし、それらの説明を省略する。
【００１９】
本実施形態においては、偏光分離素子2中、光源1から入射されたほとんどの光ビーム（ｐ偏光）が透過する一方で、偏光分離素子2に入射角度依存性を持たせているので、入射された光ビームの周縁光の一部が偏光分離膜に対する入射角に基づいて反射により取り出され、光モニター8に導かれるようになっている。すなわち、図2（Ａ）においては最大の入射角β近傍の光が反射され、モニター光として利用される。図2（Ａ）中、αは最小の入射角である。
【００２０】
そのように最大の入射角β近傍の光を反射させる偏光分離素子の入射角−反射率曲線の一例を図2（Ｂ）に示す。図2（Ｂ）は、入射角を最小のαから最大のβまで変化させると、ｓ偏光は一定して反射率ほぼ100％を維持するが、ｐ偏光は入射角に依存して反射率が変化することを示している。このようにｐ偏光はその光ビームスポットにおける周縁部の一部、すなわち最大入射角β近傍のみにおいて反射を示すので、当該反射光をモニター光として利用することにより、十分な光量を確保しながらオートパワーコントロールを有効に実施できる。ｐ偏光の反射率が増大し始めるときの入射角ｘ２および入射角βのときの反射率ｙ２、それぞれの値は特に制限されるものではないが、光量の確保とオートパワーコントロールの有効実施の観点から、ｘ２は47〜50°、特に48〜49°であり、ｙ２は10〜50％、特に20〜30％であることが好ましい。
【００２１】
上記のような偏光分離素子2の構成は、偏光分離膜7が最大の入射角近傍の光を反射するように形成されること以外、図1（Ａ）の偏光分離素子と同様である。
【００２２】
本実施形態における偏光分離膜7の多層薄膜構成は、上記図2（Ｂ）のような入射角−反射率曲線を示す限り、各層の構成材料、屈折率および厚みならびに層の合計数は特に制限されない。例えば、高屈折率層と低屈折率層とを交互に積層してなり、第１実施形態と同様の特徴（1-1)〜(1-3）を有する多層薄膜が挙げられる。（1-1)〜(1-3）の特徴は記載の範囲内で適宜選択されればよい。
【００２３】
（第3実施形態）
本発明の光ピックアップ装置の第３実施形態を図3を用いて説明する。図3（Ａ）は光ピックアップ装置の概略構成図を示している。図3（Ａ）の装置は、偏光分離素子22中、光源1から入射されたほとんどの光ビーム（ｓ偏光）が反射する一方で、偏光分離素子22に入射角度依存性を持たせているので、入射された光ビームの周縁光の一部が偏光分離膜に対する入射角に基づいて透過により取り出され、光モニター8に導かれるようになっていること以外、図1（Ａ）に示す装置と同様である。図3（Ａ）において、図1（Ａ）と同じ符号は、特記しない限り、同じ部材を示すものとし、それらの説明を省略する。
【００２４】
図3（Ａ）において光源1から照射された有限系光ビームは偏光分離素子22にｓ偏光で入射して偏光分離膜27によって反射する。反射された光ビーム（ｓ偏光）は、所望により、コリメータレンズ9によってコリメータ光となり、その後、波長板3を通過し、対物レンズ4によって光ディスク5上に集束される。光ディスク5によって反射された信号光としての復路の光ビームは、再び対物レンズ4、波長板3およびコリメータレンズ9を経て、偏光分離素子22に入射される。偏光分離素子22に復路で入射される光ビームは波長板3を2回通過することによって既にｐ偏光に変換されているため、当該偏光分離素子2よって分離（透過）され、検出器6に入射される。光検出器6では入射光を電気信号に変換し、光ディスクが保持する信号を検出する。
【００２５】
本実施形態においては、偏光分離素子22中、光源1から入射されたほとんどの光ビーム（ｓ偏光）が反射する一方で、偏光分離素子22に入射角度依存性を持たせているので、入射された光ビームの周縁光の一部が偏光分離膜27に対する入射角に基づいて透過により取り出され、光モニター8に導かれるようになっている。すなわち、従来より、入射される光ビームの透過率（反射率）は偏光分離膜27に対する入射角によって変化することが知られており、入射された全ての光が反射するように偏光分離膜が調整されていたが、図3（Ａ）においては最小の入射角α近傍の光が透過され、モニター光として利用される。図3（Ａ）中、βは最大の入射角である。
【００２６】
そのように最小の入射角α近傍の光を透過させる偏光分離素子の入射角−反射率曲線の一例を図3（Ｂ）に示す。図3（Ｂ）は、入射角を最小のαから最大のβまで変化させると、ｐ偏光は一定して反射率ほぼ0％を維持するが、ｓ偏光は入射角に依存して反射率が変化することを示している。このようにｓ偏光はその光ビームスポットにおける周縁部の一部、すなわち最小入射角α近傍のみにおいて透過を示すので、当該透過光をモニター光として利用することにより、十分な光量を確保しながらオートパワーコントロールを有効に実施できる。ｓ偏光の反射率が100％になるときの入射角ｘ３および入射角αのときの反射率ｙ３、それぞれの値は特に制限されるものではないが、光量の確保とオートパワーコントロールの有効実施の観点から、ｘ３は40〜43°、特に41〜42°であり、ｙ３は50〜90％、特に70〜80％であることが好ましい。
【００２７】
本実施形態における偏光分離膜27の多層薄膜構成は、上記図3（Ｂ）のような入射角−反射率曲線を示す限り、各層の構成材料、屈折率および厚みならびに層の合計数は特に制限されない。例えば、高屈折率層と低屈折率層とを交互に積層してなり、第１実施形態と同様の特徴（1-1)〜(1-3）を有する多層薄膜が挙げられる。（1-1)〜(1-3）の特徴は記載の範囲内で適宜選択されればよい。
【００２８】
（第4実施形態）
本発明の光ピックアップ装置の第４実施形態を図4を用いて説明する。第4の実施形態の装置は、最大の入射角近傍の光が透過され、モニター光として利用されること、およびそれに伴い、図4（Ａ）に示すように光源1、偏光分離素子22、光検出器6および光モニター8が配置されること以外、図3（Ａ）に示す装置と同様である。図4（Ａ）において、図3（Ａ）と同じ符号は、特記しない限り、同じ部材を示すものとし、それらの説明を省略する。
【００２９】
本実施形態においては、偏光分離素子22中、光源1から入射されたほとんどの光ビーム（ｓ偏光）が反射する一方で、偏光分離素子22に入射角度依存性を持たせているので、入射された光ビームの周縁光の一部が偏光分離膜に対する入射角に基づいて透過により取り出され、光モニター8に導かれるようになっている。すなわち、図4（Ａ）においては最大の入射角β近傍の光が透過され、モニター光として利用される。図4（Ａ）中、αは最小の入射角である。
【００３０】
そのように最大の入射角β近傍の光を透過させる偏光分離素子の入射角−反射率曲線の一例を図4（Ｂ）に示す。図4（Ｂ）は、入射角を最小のαから最大のβまで変化させると、ｐ偏光は一定して反射率ほぼ0％を維持するが、ｓ偏光は入射角に依存して反射率が変化することを示している。このようにｓ偏光はその光ビームスポットにおける周縁部の一部、すなわち最大入射角β近傍のみにおいて透過を示すので、当該透過光をモニター光として利用することにより、十分な光量を確保しながらオートパワーコントロールを有効に実施できる。ｓ偏光の反射率が低下し始めるときの入射角ｘ４および入射角βのときの反射率ｙ４、それぞれの値は特に制限されるものではないが、光量の確保とオートパワーコントロールの有効実施の観点から、ｘ４は47〜50°、特に48〜49°であり、ｙ４は50〜90％、特に70〜80％であることが好ましい。
【００３１】
上記のような偏光分離素子22の構成は、偏光分離膜27が最大の入射角近傍の光を透過するように形成されること以外、図3（Ａ）の偏光分離素子と同様である。
【００３２】
本実施形態における偏光分離膜27の多層薄膜構成は、上記図4（Ｂ）のような入射角−反射率曲線を示す限り、各層の構成材料、屈折率および厚みならびに層の合計数は特に制限されない。例えば、高屈折率層と低屈折率層とを交互に積層してなり、第１実施形態と同様の特徴（1-1)〜(1-3）を有する多層薄膜が挙げられる。（1-1)〜(1-3）の特徴は記載の範囲内で適宜選択されればよい。
【００３３】
上記図1（Ｂ）、図2（Ｂ）、図3（Ｂ）および図4（Ｂ）ではｐ偏光またはｓ偏光の一方において最小または最大のいずれかの入射角近傍で反射または透過が起こっているが、本発明は光検出器において十分な光量が得られる限り、それらに制限されるものではなく、それらの反射または／および透過が複合的に起こることを妨げるものではない。
【実施例】
【００３４】
（実施例１）
表１に示す構成の多層薄膜を真空蒸着法により形成し、当該多層薄膜が２個の透明多面体（屈折率1.52）で挟持された偏光分離素子を製造した。得られた偏光分離素子を用いて図１(Ａ)に示す光ピックアップ装置を製造した。この節で図５の特性が得られた。なお、使用する光源の波長は405nmであり、光の拡がり角は6°である。また、PBSの材料はBK7であり、その屈折率は1.52である。これらの条件は図6〜図12まで同じである。
【００３５】
（実施例２）
表１に示す構成の多層薄膜を形成したこと以外、実施例１と同様の方法で偏光分離素子を製造した。得られた偏光分離素子を用いて図２（Ａ）に示す光ピックアップ装置を製造した。この節で図６の特性が得られた。
【００３６】
（実施例３）
表１に示す構成の多層薄膜を形成したこと以外、実施例１と同様の方法で偏光分離素子を製造した。得られた偏光分離素子を用いて図３（Ａ）に示す光ピックアップ装置を製造した。この節で図７の特性が得られた。
【００３７】
（実施例４）
表１に示す構成の多層薄膜を形成したこと以外、実施例１と同様の方法で偏光分離素子を製造した。得られた偏光分離素子を用いて図４（Ａ）に示す光ピックアップ装置を製造した。この節で図８の特性が得られた。
【００３８】
（実施例５）
表１に示す構成の多層薄膜を形成したこと、およびTiO2の代わりにLaAlO3（n＝1.9）を用いたこと以外、実施例１と同様の方法で、偏光分離素子および光ピックアップ装置を製造した。この節で図９の特性が得られた。図９によれば、Ｐ偏光42°の反射率立下りをモニタ光に利用でき、一方Ｐ偏光の反射率は42°近傍を除けばほぼゼロなので、効率よい利用が可能である。
【００３９】
（比較例１）
表２に示す構成の多層薄膜を形成したところ、図10の特性が得られた。図10によれば、Ｓ偏光48°の反射率立下りをモニタ光に利用できるものの、Ｐ偏光は42°近傍でもれ光（反射光）が生じるので、光量損失が大きい。これは、低屈折率層と高屈折率層の屈折率差が0.3と小さいため、Ｓ偏光の反射帯域とＰ偏光の透過帯域が近づいているためと考えられる。
【００４０】
（比較例２）
表３に示す構成の多層薄膜を形成したところ、図11の特性が得られた。図11によれば、Ｓ偏光48°の反射率立下りをモニタ光に利用できるものの、Ｐ偏光は42°近傍でもれ光（反射光）が生じるので、光量損失が大きい。比較例１に比べて層数を増やしたが、Ｓ偏光の反射帯域とＰ偏光の透過帯域の分離がまだ不十分である。
【００４１】
（比較例３）
表４に示す構成の多層薄膜を形成したところ、図12の特性が得られた。図12によれば、Ｓ偏光48°の反射率立下りをモニタ光に利用できるものの、Ｐ偏光は42°近傍でもれ光（反射光）が生じるので、光量損失が大きい。これは層数が25層と少ないので、Ｐ偏光の反射率が立ち上がりがなだらかになっているためと考えられる。
【００４２】
【表１】
2005302102.tif 000003
【００４３】
【表２】
2005302102.tif 000004
【００４４】
【表３】
2005302102.tif 000005
【００４５】
【表４】
2005302102.tif 000006
【００４６】
反射率特性
図５〜図12において（Ａ）は、偏光分離膜に対する入射角が42°、45°および48°のときのｐ偏光およびｓ偏光の波長−反射率曲線を示している。（Ｂ）はｐ偏光およびｓ偏光の入射角−反射率曲線を示している。
【図面の簡単な説明】
【００４７】
【図１】（Ａ）は本発明の第１実施形態の光ピックアップ装置の概略構成図を示し、（Ｂ）は（Ａ）の装置に使用される偏光分離素子の入射角−反射率曲線の一例を示す。
【図２】（Ａ）は本発明の第２実施形態の光ピックアップ装置の概略構成図を示し、（Ｂ）は（Ａ）の装置に使用される偏光分離素子の入射角−反射率曲線の一例を示す。
【図３】（Ａ）は本発明の第３実施形態の光ピックアップ装置の概略構成図を示し、（Ｂ）は（Ａ）の装置に使用される偏光分離素子の入射角−反射率曲線の一例を示す。
【図４】（Ａ）は本発明の第４実施形態の光ピックアップ装置の概略構成図を示し、（Ｂ）は（Ａ）の装置に使用される偏光分離素子の入射角−反射率曲線の一例を示す。
【図５】（Ａ）および（Ｂ）は実施例１の偏光分離素子の反射率特性を示す曲線である。
【図６】（Ａ）および（Ｂ）は実施例２の偏光分離素子の反射率特性を示す曲線である。
【図７】（Ａ）および（Ｂ）は実施例３の偏光分離素子の反射率特性を示す曲線である。
【図８】（Ａ）および（Ｂ）は実施例４の偏光分離素子の反射率特性を示す曲線である。
【図９】（Ａ）および（Ｂ）は実施例５の偏光分離素子の反射率特性を示す曲線である。
【図１０】（Ａ）および（Ｂ）は比較例１の偏光分離素子の反射率特性を示す曲線である。
【図１１】（Ａ）および（Ｂ）は比較例２の偏光分離素子の反射率特性を示す曲線である。
【図１２】（Ａ）および（Ｂ）は比較例３の偏光分離素子の反射率特性を示す曲線である。
【図１３】従来の光ピックアップ装置の概念図を示す。
【符号の説明】
【００４８】
１：光源、２：２２：偏光分離素子、３：波長板、４：対物レンズ、５：光ディスク、６：光検出器、７：２７：偏光分離膜、８：光モニター、９：コリメータレンズ、５１：光源、５２：偏光分離素子、５３：波長板、５４：対物レンズ、５５：光ディスク、５６：光検出器、５７：偏光分離膜。
【図１】
2005302102.tif 000007
【図２】
2005302102.tif 000008
【図３】
2005302102.tif 000009
【図４】
2005302102.tif 000010
【図５】
2005302102.tif 000011
【図６】
2005302102.tif 000012
【図７】
2005302102.tif 000013
【図８】
2005302102.tif 000014
【図９】
2005302102.tif 000015
【図１０】
2005302102.tif 000016
【図１１】
2005302102.tif 000017
【図１２】
2005302102.tif 000018
【図１３】
2005302102.tif 000019